(57)【特許請求の範囲】
【請求項１】
少なくとも一つの流体源から患者に流体を送達する流量制御装置とともに用いるための栄養投与セットであって、前記流量制御装置は、筺体と、前記筺体内に配設されるとともに回転可能なバルブ軸を備えるポンプユニットと、前記筺体に支承されるとともに前記筺体内を露出させる開位置と前記筺体内を隠す閉位置との間を移動可能な遮蔽物と、を備えていて、
チューブであって、前記流体源から患者へ前記チューブにより流体を流すための少なくとも一つの流体源から延在するよう成されたチューブと、
前記チューブ内の流体の流れを制御するための前記チューブと流体連通するバルブ機構であって、前記チューブから外側へ突出する円筒状のバルブ本体であってバルブ本体の外周の一部にて前記バルブ本体の軸方向に沿って前記バルブ本体の外側端まで外側に延びる開口部を有するバルブ本体と、前記バルブ本体の内部に回転可能に配設されるバルブ柄であってその回転位置に応じて前記チューブ内の流体の流れが制御されるバルブ柄と、を備え、前記流量制御装置のバルブ軸が前記開口部を通って前記バルブ柄に到達可能に構成された、バルブ機構と、
前記流量制御装置の遮蔽物に形成された位置決め部材と係合するように前記チューブから外側へ突出している位置決めフィンガーと、
を備えた栄養投与セットであり、
前記位置決めフィンガーと前記開口部とは前記チューブに対して前記チューブの径方向において反対側に位置し、前記流量制御装置のバルブ軸が前記バルブ柄と係合するように構成され、
前記栄養投与セットが前記流量制御装置により前記投与セット内の流体の流量が制御され得る動作位置にある状態で前記位置決めフィンガーが前記位置決め部材と係合する場合、前記位置決めフィンガーは前記位置決め部材が所定位置まで近づくことを可能とし、前記栄養投与セットが前記流量制御装置により前記投与セット内の流体の流量が制御され得ない非動作位置にある状態で前記位置決めフィンガーが前記位置決め部材と係合する場合、前記位置決めフィンガーは前記位置決め部材が前記所定位置まで近づくことを禁止し、それによって、前記栄養投与セットが前記流量制御装置に対して前記動作位置にあるかどうかを確認できるように、前記位置決めフィンガーが前記チューブ上に位置決めされた、栄養投与セット。
【請求項２】
前記位置決めフィンガーが、前記チューブから半径方向外側に突出し、前記バルブ本体に対して固定された、請求項１の栄養投与セット。
【請求項３】
前記フィンガーが延在する請求項２の栄養投与セット。
【請求項４】
前記フィンガーおよび前記バルブ機構は、前記流量制御装置と係合するために互いに隣接して配置される請求項１の栄養投与セット。
【請求項５】
前記流量制御装置の前記位置決め部材が前記フィンガーと係合したとき、前記バルブ機構が前記フィンガーおよび前記チューブによって前記流量制御装置に対して前記動作位置に押し込まれるように、前記フィンガーおよび前記バルブ機構が、互いに対して位置付けされている請求項４の栄養投与セット。
【請求項６】
前記バルブ機構は、流体の流れを可能にする開位置および流体の流れを妨げる閉位置を含む少なくとも二つの位置の間を移動可能である請求項４の栄養投与セット。
【請求項７】
前記バルブ柄は、前記バルブ機構の閉位置で前記開口部と整列する溝を画成する請求項６の栄養投与セット。
【請求項８】
前記位置決め部材は、前記遮蔽物が前記閉位置に移動した場合、前記フィンガーと係合することで前記栄養投与セットが前記動作位置になるように前記フィンガーを移動させる形状をしている請求項１の栄養投与セット。
【請求項９】
前記フィンガーおよび前記位置決め部材の内の少なくとも一方が相手に対して傾いた状態で当接する傾斜面を備える請求項８の栄養投与セット。
【請求項１０】
前記流量制御装置の遮蔽物は、前記筐体と協調動作して、前記閉位置で、前記位置決めフィンガー、および前記バルブ機構を実質的に閉じ込めるドアを備える請求項９の栄養投与セット。
【発明の詳細な説明】
【発明の詳細な説明】
【０００１】
発明の背景
本発明は、一般に、流量制御装置により患者に流体を送達するための栄養投与セットに関し、より詳細には、ポンプに栄養セットを確実に装填するという特長を有する栄養セットおよびポンプに関する。
【０００２】
患者への薬品または栄養物を含む投与流体は、当該技術で周知である。流体は、制御された送達速度で患者に流体を送達する流量制御装置に装填されたぜん動ポンプ等のポンプセットにより患者に送達するのが典型的である。ぜん動ポンプは、減速機を介して少なくとも一つのモーターと係合動作するローター等を含む筐体を備えるのが普通である。ローターは、モーターによるローターの回転により生じるぜん動により、ポンプセットのチューブを通る流体を移動させる。モーターは、ローターを駆動する回転可能軸に連結されて動作し、次いで、前進するようにチューブを圧縮し、制御された速度でポンプセットを通る流体を移動させる。ポンプセットは、ポンプセットを通る流体の通過を可能にするか、または阻止する一種のバルブ機構を有してもよい。コントローラは、ローターを駆動するために用いるモーターを動作させ、必要に応じて、バルブ機構の動作等により流体の流れを制御する。
【０００３】
ポンプにプログラムされた流れパラメータと対応する正確な流量をポンプが送達するために、栄養投与セットをポンプに正確に装填しなければならない。既存の栄養セットのバルブ機構は、バルブ機構の位置を制御するとともに、そのセットを通る流体の流量を制御するポンプの軸上にバルブが位置しなければならないというのが典型的である。既存の栄養セットは、バルブ機構が軸上に正しく位置していないか、またはセットのチューブがローターと係合しない等、適切に取り付けられていないか、または外れることもある。ポンプセットがポンプ内でずれている場合、バルブ機構が動作せず、ポンプが患者に不正確な流量を送達することになり、またはポンプが、状況を調査し、セットを再装填するよう要求する流量不足警告を発することになる。
【０００４】
発明の概要
本発明の一態様において、少なくとも一つの流体源から患者に流体を送達する流量制御装置とともに用いるための栄養投与セットは、流体源から患者へチューブにより流体を流すための少なくとも一つの流体源から延在するよう成されたチューブを備える。位置決めフィンガーは、流量制御装置に係合するよう成されたチューブから外側へ突出している。位置決めフィンガーは、チューブ上に位置決めされ、（チューブを）流量制御装置上に動作位置で受け止める場合、フィンガーにより流量制御装置の位置決め部材を閉じる（近づける）ことができ、（チューブを）流量制御装置上に非動作位置で受け止める場合、フィンガーにより位置決め部材を閉じる（近づける）ことができないようにし、それによって、チューブが流量制御装置の動作位置にあるかどうかを確認できる。
【０００５】
本発明の別の実施の形態では、流体投与セットを通じて患者に流体を送達する際に用いるための流量制御装置は、投与セットの少なくとも一部を、動作位置で、および少なくとも一つの他の非動作位置で、受け止める形状をした受入部を含む筐体を備える。ポンプ装置は、投与セット内の流体の流れを移動させるために、投与セットと係合可能である。位置決め部材は、位置決め部材が筐体の受入部から遠く離れる第１位置と、位置決め部材が筐体の受入部に近い第２位置との間で、筐体に対して移動可能である。位置決め部材は、非動作位置にある投与セットへの係合に対しては、位置決め部材の第２位置への移動を禁止する形状をしているとともに、動作位置にある投与セットに対しては位置決め部材を第２位置に移動させる形状をしている。
【０００６】
別の態様では、患者に投与セット内流体を流すための投与セットに作用するよう動作可能な流量制御装置に投与セットを装填する方法は、投与セットの少なくとも一部を、流量制御装置の筐体の受入部に係合するステップを含む。流量制御装置と関係付けられる位置決め部材は、位置決め部材が筐体に対して閉位置に達し、それにより投与セットが動作位置にあることが示されるか、または位置決め部材が投与セットと係合して、閉位置に達するのを妨げられるまで、筐体の受入部に向けて移動される。位置決め部材が閉位置にあるかどうかは、投与セットが動作位置にあるかどうかを示す。
【０００７】
本発明の更に別の態様では、流体投与セットを通じて患者に流体を送達する際に用いるための流量制御装置は、一般に、投与セットの少なくとも一部を、動作位置で、および少なくとも一つの他の非動作位置で、受け止める形状をした受入部を含む筐体を備える。ポンプ装置は、投与セット内の流体の流れを移動させるために、投与セットと係合可能である。位置決め部材は、位置決め部材が筐体の受入部から遠く離れる第１位置と、位置決め部材が筐体の受入部に近い第２位置との間で、筐体に対して移動可能である。位置決め部材は、位置決め部材が第１位置から第２位置に移動するときに、動作位置近傍の位置にある投与セットを動作位置に移動させるように係合する形状である。
【０００８】
以降、本発明の他の目的、および特徴を、一部については明らかし、一部については要点を指摘する。
【０００９】
詳細な説明
図面を参照すると、本発明の原理に基づいて構成される経腸栄養ポンプ（広義には「流量制御装置」）を通常１で示す。栄養ポンプは、通常５で示す栄養投与セット（広義には「ポンプセット」）に取り付けるよう構成された通常３で示す筐体を備える（図２および図５参照）。筐体３には、閉位置（図１）と、栄養投与セット５を受けるポンプ１の一部を露出させる開位置（図２）との間を揺動するために筐体の他の部分に支承されるドア７（広義には「遮蔽物」）が含まれる。言うまでもなく、本明細書中で用いる「筐体」には、多数部品構造および作動するポンプ１の構成体を囲んだり、包んだりしない構造を無制限に含む多くの支持構造方式（不図示）が含まれる。また、ポンプ１は、筐体３の前面に、ポンプの状態、および動作についての情報を表示できる通常９で示す表示スクリーンを有する。表示スクリーン９の側面のボタン１１が、ポンプ１からの情報の操作および取得に用いるために備えられ、また、３個の発光ダイオード１３がポンプの状態情報を提供する。筐体３の底面手前の脚１９は、表示スクリーン９を見やすくするために少し傾斜を付けるように筐体を支持する。
【００１０】
言うまでもなく、図示のポンプ１は経腸栄養ポンプであるが、本発明は、医療用輸液ポンプを含む他の種類のぜん動ポンプ（不図示）への用途を有する。本明細書での説明を除く経腸栄養ポンプ１の概略の構造および動作は、同じ譲受人の、２００４年５月２４日出願の米国特許出願第１０／８５３，９５８号、名称「栄養投与セットおよびバルブ機構」、２００４年５月２４日出願の第１０／８５４，１３６号、名称「流量制御装置」、および２００４年５月２５日出願の第１０／８５３，９２６号、名称「流量制御装置用の流量監視システム」に開示されているものとほぼ同一であり、これらの開示を引用して組み込む。更に、栄養投与セット５を示すが、他の種類のポンプセット（不図示）を本発明の適用範囲内で用いることができる。
【００１１】
ここで図４も参照する。表示スクリーン９は、ポンプ１の動作構成部品のほとんどを保持する筐体の主区画（通常２１で示す）に取り外し可能に取り付けられる筐体３のフロントパネル（通常１９で示す）の一部である。経腸栄養ポンプは、更に、ローター軸２７、およびバルブ軸２９（図３参照）に連結されるポンプモーター２５を備える圧送ユニット（主区画から分解して示し、通常２３で示す）を含む。言うまでもなく、バルブ軸２９は省略してもよく、および／または本発明の適用範囲内でバルブ軸を動作させるために別のモーター（不図示）を提供してもよい。バッテリ３１は、ポンプモーター２５に電力を供給するために筐体３の主区画２１で支える。主区画２１の背部に支承して取り付けられるバッテリドア３３は、必要に応じたアクセスを提供しながら、区画内にバッテリ３１を収納する。ボルト３５は、通常はバッテリ３１へのアクセスを妨げるように、閉じたバッテリドア３３を保持する。バッテリ以外の電源、またはバッテリと併用する電源を用いることができるのは無論である。
【００１２】
ローター（通常３７で示す）は、圧送ユニット２３のローター軸２７にボルト４２により取り付けられる。ローター３７には、内側ディスク３９、外側ディスク４１、およびディスクに対して長手軸廻りの回転をするよう内側ディスクと外側ディスクとの間に取り付けられる３個のローラー４３（１個のみ示す）が含まれる。図示の実施の形態では、ポンプモーター２５、ローター軸２７、およびローター３７は、広義には「圧送装置」と考えることができる。ローラー４３は、ポンプモーター２５も取り付けられる圧送ユニット２３の面板４９に形成された第１および第２シュート（それぞれ４５および４７で示す）で受け止められる栄養投与セット５と係合する。第１および第２シュート４５、４７は、以下に更に詳細に説明する方法で栄養投与セット５の一部を受け止める筐体の「受入部」と、広義には考えることができる。ドア７は、図１のように閉じた場合、シュート４５、４７、およびローター３７を覆う。他のボルト５１は、ポンプ１の各種の構成部品を互いに保持する。
【００１３】
図５を参照する。栄養投与セット５は、少なくとも一つの流体源と患者との間の流体通路を提供する通常５５で示されるチューブを備える。チューブ５５は、医療用等級の変形可能なシリコンで構成でき、通常５９で示すバルブ機構と、取付部材６１との間を連結する第１チューブ部５７を備える。第２チューブ部６３は、取付部材６１に連結されるとともに、チューブ５５の出口で、患者に取り付けられる胃瘻造設装置（不図示）に連結するのに適した、抜け止め付コネクタ６５等のコネクタに連結される。第３チューブ部６７は、チューブ５５の入口で栄養液のバッグ６９に連結されるとともに、バルブ機構５９に連結され、第４チューブ部７１は、チューブ５５の入口で洗浄液のバッグ７３に連結され、バルブ機構に連結される。バルブ機構５９は、バッグ６９からの栄養液、またはバッグ７３からの洗浄液の流れを選択可能にするか、または第１チューブ部５７への栄養液バッグまたは洗浄液バッグ６９、７３からの液流通を妨げるよう動作する。バルブ機構５９は、３つの位置を切り換えることができる。第１位置は、第３および第４チューブ部６７、７１から、第１および第２チューブ部５７、６３への全ての液流を閉止し、第２位置は、バッグ６９から第１および第２チューブ部に栄養液を流すことができ、そして第３位置は、バッグ７３から第１および第２チューブ部に洗浄液を流すことができる。
【００１４】
先に説明したように、異なる構造のポンプセットを用いてもよく、例えば、認証更新セットを用いてポンプ精度を検証および／または補正してもよい。ポンプ１は、どの種類のセットが設置されているかを自動認識し、特定の投与セットにより要求されるものに適合するようその動作を変更するよう構成できる。更に、ポンプ１は、第１チューブ部５７がポンプに適切に設置されているかどうかをセンサで検出するよう構成できる。適切なポンプセットの（バルブ機構を含む）実施例は、先に引用して組み込んだ、同じ譲受人の、米国特許出願第１０／８５３，９５８号に示されている。
【００１５】
図７および図７Ａを参照する。バルブ機構５９は、バルブ本体の底部に開口部８５を有するほぼ円筒形のバルブ本体８３を有する。開口部８５は、バルブ機構５９をポンプ１に装着した場合、バルブ軸２９を受け止める形状となっている。バルブ機構５９は、バルブ機構５９が第１（閉止）位置にある場合、開口部８５と整列する溝８９を画成する本体８３内の回転可能バルブステム８７を含む。栄養セット５がポンプ１上の動作位置にある場合、バルブ軸２９が溝８９内に受け止められるように、バルブ機構５９をポンプ上に配置して、バルブ軸の回転がバルブ機構の回転を生じるようにする（図８Ａ）。言うまでもなく、ポンプ１は、ポンプの所望の流れ特性に基づいて、バルブ軸２９を回転させることにより、バルブ機構５９を第１、第２、または第３位置に設定する。
【００１６】
栄養セット５は、第３および第４チューブ部６７、７１を受け止めるバルブ機構５９の上の上部スリーブ９１と、第１チューブ部５７を受け止めるバルブ機構の下の下部スリーブ９３とを含む。図示の実施の形態では、位置決めフィンガー９５が上部スリーブ９１から外側へ突出している。フィンガー９５は、栄養セット５のバルブ機構５９に隣接する位置でチューブ５５から半径方向外側に延在し、突出している。位置決めフィンガー９５は、位置決めフィンガーの垂直方向の動きをバルブ機構５９のバルブ本体８３の垂直方向の動きと一致させるように、栄養セット５のチューブ５５に取り付ける。図示の実施の形態では、バルブ本体８３、上部スリーブ９１、下部スリーブ９３、および位置決めフィンガー９５は、一体として形成されているが、言うまでもなく、位置決めフィンガーはバルブ機構と別体とし、しかるべき方法でフィンガーセット５に取り付けてもよい。
【００１７】
図７に示すように、ドア７は内側面１０１、上面１０３、および内側面上に配置され、そこから外側に突出する、通常１０５で示す位置決め部材を有する。位置決め部材１０５は、ドアの上面１０３の近くのくさび形状を備える。位置決め部材１０５は、ほぼ垂直な第１面１０９、ほぼ水平な第２面１１１、および第１面と第２面との間の傾斜した第３面１１３を有する。ドア７は、栄養セット５をポンプ１に取り付け可能にする開位置（図２）と、第１および第２シュート４５、４７を覆う閉位置（図１）との間を揺動するよう筐体３に取り付けられる。より詳細に下記に説明するように、位置決め部材１０５は、ドア７に配置されて、ドアが開位置から閉位置に移動して、バルブ機構５９の動作位置に栄養セット５を保持した場合、栄養セット５にある位置決めフィンガー９５と係合する。
【００１８】
使用に際しては、栄養投与セット栄養液バッグ６９および洗浄液バッグ７３は、点滴ポール（不図示）等のしかるべき支柱から吊り下げることができる。ポンプ１の側面のドア７は、揺動して開き（図２のように）、バルブ機構５９は、バルブ機構の動作位置（図８、および図８Ａ）で第１シュート４５に置くことができ、その場合、バルブ軸２９が、開口部８５を通じて本体８３に受け止められ、バルブ機構のバルブステム８７と係合可能となるので、バルブ軸の回転がバルブ機構の位置を制御することができる。第１チューブ部５７は、ローター３７の周囲に置かれ、取付部材６１は、第２シュート４７に置かれる。第２シュートは、概してじょうご状なので、取付部材６１は、第１チューブ部５７がローター３７の周囲にかなり引き伸ばされて配置されるように、シュート４７の中に置くことができる。第１チューブ部５７は、取付部材６１を第２シュート４７の中で更に下方に引いて、僅かに弛ませることができる。しかしながら、第１チューブ部５７は、ポンプ１に適切に設置した場合は、ローター周囲に引き伸ばされた状態で維持される。ドア７は、第１および第２シュート４５、４７、およびローター３７を覆うように再度閉じることができる。ドアを閉じて、バルブ機構５９が動作位置に適切に装填された場合、位置決め部材１０５の水平面１１１が、栄養セット５の位置決めフィンガー９５と係合して、栄養セットを動作位置に保持する。図８Ｂに示すように、位置決め部材１０５の位置決めフィンガーとの係合は、栄養セット５に加わる上向きの引張力によりバルブ機構５９が動作位置から外れるのを防ぐ。第２チューブ部６３端部のコネクタ６５は、既知の方法で、患者に取り付ける導管（不図示）に連結できる。言うまでもなく、患者に液を適切に送達するための適切な連結法を、本発明の適用範囲から逸脱することなく、用いることができる。
【００１９】
ポンプ１は、プログラムするか、さもなければ、所望の方法で動作を制御することができる。例えば、ポンプ１は、バッグ６９からの栄養液を患者に提供するよう動作を開始できる。介護人は、（例えば）送達すべき液量、液を送達すべき速度、および液送達頻度を選択できる。ポンプ１は、プログラムの受領、および／または介護人が起動できるあらかじめプログラムされた動作ルーチンを含めておくことが可能なマイクロプロセッサを含むコントローラ７７を有する（図５参照）。コントローラ７７は、栄養投与セット５が先に説明したように適切に位置決めされているかどうかを検出する投与セット位置決めセンサ８１と通信する。ポンプ１に置かれた投与セットの種類を判定するセンサ等の他のセンサ（不図示）および流れ監視センサが、コントローラ７７と通信してポンプの正確な動作を支援する。また、コントローラ７７は、バルブ機構５９、およびローター３７を作動させるよう動作を制御するために、ポンプモーター２５にも接続する。ポンプモーター２５は、バルブ機構５９、およびローター３７を互いに独立して動作させることができる。
【００２０】
図７および図７Ａは、位置決めフィンガー９５を位置決め部材１０５と係合させることにより修正可能な距離だけ、バルブ本体８３が動作位置から持ち上げられた動作位置近傍に最初に装填されるバルブ機構５９を示す。一般に、位置決め部材１０５により動作位置まで移動される（説明のように）ことができる程、動作位置の十分近くにバルブ機構５９が位置決めされる場合、「動作位置近傍」にあると考えられる。動作位置近傍では、栄養セット５の位置決めフィンガー９５は、ドア７が開位置から閉位置に移動する場合、取付部材１０５の傾斜面１１３と係合する。傾斜面１１３と位置決めフィンガー９５との係合は、ドアが完全な閉位置に向かって揺動すると、バルブ部材５９を下方に動作位置まで押しつける（図７〜図７Ｂ）。位置決め部材の傾斜面１１３は、ドアの第１（開）位置で、位置決め部材１０５の位置決めフィンガー９５との接触を容易にし、ドア（および位置決め部材）が第１位置より筐体に近い第２位置に揺動するとき、位置決めフィンガーおよびバルブ機構５９を下方に移動させる。言うまでもなく、角度付きの、つまり傾斜した面は、本発明の適用範囲から逸脱することなく、位置決め部材１０５の代わりに位置決めフィンガー９５の一部としてもよいし、または位置決めフィンガーおよび位置決め部材の双方とも傾斜面で形成してもよい。ドア７が完全に閉じた位置では、位置決め部材１０５の水平面１１１は、位置決めフィンガー９５の上面と接触し、バルブ機構５９を動作位置に保持する。
【００２１】
バルブ機構５９が（不注意に）ポンプ１に装填されたり、または外れたりして、バルブ本体８３がシュート４７内で持ち上げられる非動作位置になっているという想定では（図９、図９Ａ、および図１０）、軸２９がバルブ本体に完全に受け止められないか、またはバルブステム８７と係合しないので、軸の回転はバルブ機構の位置に影響を与えない。バルブ機構５９の非動作位置は、栄養セット５をポンプ１に正しく装填しなかった場合に起きる。図９、図９Ａ、および図１０に示すように、バルブ機構５９が動作位置から十分な量だけ持ち上がっている場合、ドアが開位置から閉位置に移動すると、栄養セット５の位置決めフィンガー９５は、位置決め部材１０５の垂直面１０９と係合する。位置決めフィンガー９５の垂直面１０９との係合は、ドアが完全に閉じるのを妨げ、ポンプ１への栄養セット５の位置を調整してからポンプを起動するようユーザに要求する。このように、栄養セット５の位置決めフィンガー９５と、ドア７にある位置決め部材１０５の垂直面１０９との係合は、栄養セット５がポンプの動作位置にあるかどうかを指示する。
【００２２】
ポンプ１に投与セット５を装填する方法は、投与セット５の少なくとも一部を、第１および第２シュート４５、４７に係合させることを含む。ドア７の位置決め部材１０５は、位置決め部材が筐体に対して閉位置に達するまで、第１シュート４５に向かって移動するので、投与セットが動作位置にあるか、または位置決め部材が投与セットの位置決めフィンガー９５と係合していて、閉位置に達するのが妨げられていることが指示される。投与セット５が動作位置にあるかどうかの指示は、位置決め部材１０５が位置決めフィンガー９５と干渉しないで、ドアが閉位置に移動できるかどうかで与えられる。位置決め部材１０５が、栄養投与セットの非動作位置にある位置決めフィンガー９５と干渉する場合、ドアを閉じることができず、ユーザは栄養セット５の位置を、ポンプ１のドアが閉じるように、動作位置近傍（図７および図７Ａ）または動作位置（図８および図８Ａ）に調整しなければならない。栄養投与セット５が動作位置近傍に装填された場合、ドアを開位置から閉位置に移動させると、位置決め部材１０５の傾斜面１１３は、位置決めフィンガー９５と接触し、栄養セットを動作位置まで移動させる。動作位置では、栄養セット５のバルブ機構５９は、ポンプ１のバルブ軸２９と結合して係合し、位置決め部材１０５の水平面１１は、位置決めフィンガー９５と係合してバルブ機構を確実に定位置に保持する。
【００２３】
本発明またはその好適な実施の形態の要素を導入する場合、冠詞「ａ」、「ａｎ」、「ｔｈｅ」、「ｓａｉｄ」は、一つ以上の要素が存在することを意味することを意図している。用語「備える」、「含む」、および「有する」は、すべて含むことを意図し、挙げた要素以外の追加要素が存在してもよいことを意味する。更に、「下」、「上」および「底部」、およびこれらの用語の変形は、簡便さから用いているが、構成部品の特定方向を何ら要求しない。
【００２４】
多様な変更が、本発明の適用範囲から逸脱することなく、上記において成すことができるので、上記説明に含まれ、かつ添付図面に示す全ての事項が、説明として解釈されるべきであり、限定する意向はないことを意図する。
【図面の簡単な説明】
【００２５】
【図１】図１は、経腸栄養ポンプの透視図である。
【図２】図２は、ポンプで受け止める栄養投与セットの断片的な部分を示す上記ポンプの側面図である。
【図３】図３は、栄養投与セットを取り外した図２の側面図である。
【図４】図４は、ポンプの分解斜視図である。
【図５】図５は、栄養投与セットの透視図である。
【図６】図６は、ポンプの要素を示すブロック図である。
【図７】図７は、栄養セットが動作位置近傍にある場合の、栄養ポンプのドアの断片的な部分側面透視図である。
【図７Ａ】図７Ａは、栄養セットが動作位置近傍にある場合の、栄養セット、およびポンプバルブ軸の断片的な立面略図である。
【図７Ｂ】図７Ｂは、栄養セットが動作位置近傍にある場合の、ドアの栄養セット、および位置決め部材の断片的な側面略図である。
【図８】図８は、栄養セットが動作位置にある場合の、栄養ポンプのドアの断片的な透視略図である。
【図８Ａ】図８Ａは、栄養セットが動作位置にある場合の、栄養セット、およびポンプバルブ軸の断片的な立面図である。
【図８Ｂ】図８Ｂは、栄養セットが動作位置にある場合の、ドアの栄養セット、および位置決め部材の断片的な側面略図である。
【図９】図９は、栄養セットが非動作位置にある場合の、栄養ポンプのドアの断片的な透視略図である。
【図９Ａ】図９Ａは、栄養セットが非動作位置にある場合の、栄養セット、およびポンプバルブ軸の断片的な立面図である。
【図９Ｂ】図９Ｂは、栄養セットが非動作位置にある場合の、ドアの栄養セット、および位置決め部材の断片的な側面略図である。
【図１０】図１０は、栄養セットが非動作位置にある場合の、栄養ポンプの断片的な上面図である。
【図１】
0004647569.tif 000002
【図２】
0004647569.tif 000003
【図３】
0004647569.tif 000004
【図４】
0004647569.tif 000005
【図５】
0004647569.tif 000006
【図６】
0004647569.tif 000007
【図７】
0004647569.tif 000008
【図７Ａ】
0004647569.tif 000009
【図７Ｂ】
0004647569.tif 000010
【図８】
0004647569.tif 000011
【図８Ａ】
0004647569.tif 000012
【図８Ｂ】
0004647569.tif 000013
【図９】
0004647569.tif 000014
【図９Ａ】
0004647569.tif 000015
【図９Ｂ】
0004647569.tif 000016
【図１０】
0004647569.tif 000017